(57)【要約】      （修正有）【課題】商品サンプルを立体的にかつ宙に浮いたように表現でき、乗客の視覚に強く訴えることができる吊革用広告具を提供する。【解決手段】箱型、半円柱形状、球形状等の立体形状の本体１と、本体の下側に形成された握り部２と、本体の上側に革部４に連結する連結部３とを備え、少なくとも本体は透明部材で形成され、本体の内部は空洞であり、本体１の内部に商品サンプルを包み込む透明のシェルケースを挿入し、または商品広告を印刷したケースを挿入した吊革用広告具である。【選択図】図１
0003183190.tif 000002
【実用新案登録請求の範囲】
【請求項１】
車両内に取り付けられる吊革用広告具であって、
立体形状の本体と、前記本体の下側に形成された握り部と、前記本体の上側に革部に連結する連結部とを備え、
前記本体は透明部材で形成され、前記本体の内部は空洞であり、当該内部に商品サンプルを包み込む透明のシェルケースが挿入されていることを特徴とする吊革用広告具。
【請求項２】
車両内に取り付けられる吊革用広告具であって、
立体形状の本体と、前記本体の下側に形成された握り部と、前記本体の上側に革部に連結する連結部とを備え、
前記本体は透明部材で形成され、前記本体の内部は空洞であり、当該内部に商品広告が印刷されたケースが挿入されていることを特徴とする吊革用広告具。
【請求項３】
本体を、半円柱形状、又は球形状としたことを特徴とする請求項１又は２記載の吊革用広告具。
【請求項４】
本体を、箱型としたことを特徴とする請求項１又は２記載の吊革用広告具。
【請求項５】
本体の一の面が、開閉式の蓋となっていることを特徴とする請求項４記載の吊革用広告具。
【考案の詳細な説明】
【技術分野】
【０００１】
本考案は、電車やバス等の車両内に取り付けられる吊革用広告具に係り、特に、商品サンプルを立体的に表現して乗客の視覚に強く訴えることができる吊革用広告具に関する。
【背景技術】
【０００２】
［先行技術の説明］
従来の吊革用広告具には、握り部の上部の革部に膨出部を設け、そこに広告シールを巻着するもの（意匠登録第１１５４９２１号）があった。また、宣伝用シールを貼り付ける部分を平板にし、その平板と握り部を一体に形成したもの（意匠登録第１２８２１２１号）があった。
【０００３】
更に、平板と握り部を一体に形成し、その平板を透明部材で形成して、平板内部に広告のメッセージを挟みこむもの（米国特許出願公開第２０１０／０１１５８０９号明細書）があった。
【先行技術文献】
【特許文献】
【０００４】
【特許文献１】意匠登録第１１５４９２１号公報
【特許文献２】意匠登録第１２８２１２１号公報
【特許文献３】米国特許出願公開第２０１０／０１１５８０９号明細書
【考案の概要】
【考案が解決しようとする課題】
【０００５】
しかしながら、上記従来の吊革用広告具では、広告機能はあるものの、商品サンプルを立体的にかつ宙に浮いたように表現できるものとはなっておらず、乗客へのインパクトが充分でないという問題点があった。
【０００６】
本考案は上記実状に鑑みて為されたもので、商品サンプルを立体的にかつ宙に浮いたように表現でき、乗客の視覚に強く訴えることができる吊革用広告具を提供することを目的とする。
【課題を解決するための手段】
【０００７】
上記従来例の問題点を解決するための本考案は、車両内に取り付けられる吊革用広告具であって、立体形状の本体と、本体の下側に形成された握り部と、本体の上側に革部に連結する連結部とを備え、本体が透明部材で形成され、本体の内部は空洞であり、当該内部に商品サンプルを包み込む透明のシェルケースが挿入されていることを特徴とする。
【０００８】
本考案は、車両内に取り付けられる吊革用広告具であって、立体形状の本体と、本体の下側に形成された握り部と、本体の上側に革部に連結する連結部とを備え、本体が透明部材で形成され、本体の内部は空洞であり、当該内部に商品広告が印刷されたケースが挿入されていることを特徴とする。
【０００９】
本考案は、上記吊革用広告具において、本体を、半円柱形状、又は球形状としたことを特徴とする。
【００１０】
本考案は、上記吊革用広告具において、本体を、箱型としたことを特徴とする。
【００１１】
本考案は、上記吊革用広告具において、本体の一の面が、開閉式の蓋となっていることを特徴とする。
【考案の効果】
【００１２】
本考案によれば、立体形状の本体が透明部材で形成され、本体の内部は空洞であり、当該内部に商品サンプルを包み込む透明のシェルケースが挿入されている吊革用広告具としているので、商品サンプルを立体的にかつ宙に浮いたように表現でき、乗客の視覚に強く訴えることができる効果がある。
【００１３】
本考案によれば、立体形状の本体が透明部材で形成され、本体の内部は空洞であり、当該内部に商品広告が印刷されたケースが挿入されている吊革用広告具としているので、商品広告を立体的にかつ宙に浮いたように表現でき、乗客の視覚に強く訴えることができる効果がある。
【図面の簡単な説明】
【００１４】
【図１】本広告具の正面説明図である。
【図２】本広告具の側面説明図である。
【図３】連結部部分の正面説明図である。
【図４】シェルケースの一例の概略図である。
【図５】別の本体を示す概略図である。
【図６】別の広告具（１）の概略図である。
【図７】別の広告具（２）の概略図である。
【考案を実施するための形態】
【００１５】
本考案の実施の形態について図面を参照しながら説明する。
［実施の形態の概要］
本考案の実施の形態に係る吊革用広告具は、箱型等の立体形状の本体と、本体の下側に形成された握り部と、本体の上側に革部に連結する連結部とを備え、少なくとも本体は透明部材で形成され、本体内部は空洞であり、本体内部に商品サンプルを包み込む透明のシェルケースを挿入したものであり、商品サンプルを握り部の上部で宙に浮いたように立体的に見せることができ、乗客の視覚に強く訴えることができるものである。
【００１６】
［本広告具：図１，図２］
本考案の実施の形態に係る吊革用広告具（本広告具）について図１，図２を参照しながら説明する。図１は、本広告具の正面説明図であり、図２は、本広告具の側面説明図である。
本広告具は、図１，図２に示すように、本体１と、握り部２と、連結部３とから構成されている。
【００１７】
［本広告具の各部］
［本体１］
本体１は、箱型の立体形状をしており、透明プラスチック等の透明部材で構成され、内部が空洞になっており、商品サンプルを収納する収納部となっている。
商品サンプルは、そのまま収納されるのではなく、透明のシェルケースに包まれて収納される。従って、シェルケースは、本体１の内部の形状に合わせて形成される。
また、商品サンプルは、商品模型であっても、商品そのものであってもよい。
【００１８】
［握り部２］
握り部２は、本体１の下側にＵ字形状で形成される。握り部２は、本体１と一体に形成され、同じ透明部材で形成されている。
尚、握り部２のＵ字の内側に、指が収まりやすくするために、複数の山と谷の凹凸が形成されている。
また、握り部２には、ネジ止め部１１ａ，１１ｂが設けられ、表側と裏側を固定している。ネジ止め部１１ａは、表側から裏側へのネジ止めを表し、ネジ止め部１１ｂは、裏側から表側へのネジ止めを表している。
【００１９】
［連結部３：図３］
連結部３について図１〜３を参照しながら説明する。図３は、連結部部分の正面説明図である。
連結部３は、本体１の上側に薄い平板で形成されており、中央に革部４を通す貫通孔３ａが設けられている。
連結部３も、本体１と一体に透明部材で形成されている。
また、連結部３には、ネジ止め部１０ａ，１０ｂが設けられ、表側と裏側を固定している。ネジ止め部１０ａは、表側から裏側へのネジ止めを表し、ネジ止め部１０ｂは、裏側から表側へのネジ止めを表している。
【００２０】
［本広告具の分離・結合］
本広告具は、図２に示すように、側面中央の縦方向の線で左右に分離することができるようになっている。分離は、ネジ止め部のネジを緩めることで行い、結合は、ネジ止め部のネジを締めることで行う。
分離した状態で、商品サンプルを包んだシェルケースを本体１の内部の収納部に収納し、分離した本体１を結合して収納を完了する。
【００２１】
［シェルケース：図４］
次に、シェルケースについて図４を参照しながら説明する。図４は、シェルケースの一例の概略図である。尚、（ａ）は、シェルケースの表面側から見た図であり、（ｂ）は、シェルケースの裏面側から見た図である。
シェルケース２０は、図４に示すように、蓋のない２つの箱型２１ａ，２１ｂが貼り合わされて形成されたものであり、貼り合わされる面に商品サンプルを収納する収納部（収納空間）２３を形成するための２つの凹部２２ａ，２２ｂが形成されている。
尚、シェルケース２０は、ＰＥＴ（Poly-Ethylene-Terephthalate）又はＰＰ（polypropylene）等の透明な部材により形成されている。
【００２２】
図４では、シェルケース２０における商品サンプルを収納する収納部２３を立方体としたが、商品サンプルの形状に合わせて本体１内に納まる限り、任意の形状に形成することができる。
このシェルケース２０によって商品サンプルを包み込んで、本体１に収納することにより、乗客は、本広告具の本体１内に商品サンプルがまるで浮かんでいるような立体感があってインパクトのある宣伝広告の効果が得られる。
尚、シェルケース２０の代わりに、透明ケースに商品広告のシールが貼られたもの、または商品広告が印刷されたものであってもよい。
【００２３】
［扉形状の開閉型の本体：図５］
次に、別の本体１について図５を参照しながら説明する。図５は、別の本体を示す概略図である。無論、この別の本体１にも図１と同様に、握り部２と連結部３が取り付けられている。
図５の本体１は、本体１内にシェルケースを収納し、取り出すことを容易にするために、本体１の一の面が開閉式の蓋１２となっている。蓋１２と本体１とはちょうつがい構造の接続部１３で連結されている。
【００２４】
また、接続部１３とは反対側の蓋１２の端部には、蓋１２を本体１に固定するためのネジ穴が設けられており、蓋１２をネジによって本体１に固定するようになっている。
この開閉式の蓋１２によって、商品サンプルの交換を非常に容易に行うことができる。
【００２５】
［別の広告具（１）：図６］
次に、別の第１の吊革用広告具（別の広告具（１））について図６を参照しながら説明する。図６は、別の広告具（１）の概略図である。
別の広告具（１）は、図６に示すように、本体１´の形状が立方体ではなく、透明な半円柱の立体形状となっている。つまり、本体１´は、かまぼこ型をしている。
無論、別の広告具（１）の本体１´にも握り部２と連結部３が取り付けられている。
【００２６】
別の本体１´の内部に、商品サンプルを包んだシェルケースを収納してもよいが、半円柱（かまぼこ）形状の透明ケースに商品広告のシールが貼られた見本３０であってもよい。
また、半円柱形状に限らず、様々の形状のケースに商品広告のシールを貼るか、商品広告を印刷したものとすることで、省スペースの広告であっても、立体感を演出できる効果がある。
別の本体１´の形状であれば、自動販売機に展示してある半円柱形状の広告をそのまま利用することが可能である。
【００２７】
［別の広告具（２）：図７］
次に、別の第２の吊革用広告具（別の広告具（２））について図７を参照しながら説明する。図７は、別の広告具（２）の概略図である。
別の広告具（２）は、図７に示すように、全体的に球形の立体形状となっている。但し、握り部２´と連結部３´は平面となっている。
【００２８】
そして、本体１″の形状が立方体ではなく、握り部２´と連結部３´の部分を除いてラウンドする透明な球形状である。つまり、本体１″は、球体から握り部２´と連結部３´の部分を切り取った形状となっている。
【００２９】
別の本体１″の内部に、商品サンプルを包んだシェルケースを収納してもよいが、ラウンドタイプの透明ケースに商品広告のシールが貼られたものであってもよい。
また、ラウンド形状に限らず、様々の形状のケースに商品広告のシールを貼るか、印刷したものとすることで、どの方向からでも、商品サンプルを立体感に表現できる効果がある。
別の本体１″の形状を球形状としたが、半球形状とすることも可能である。
【００３０】
［実施の形態の効果］
本広告具によれば、箱型等の立体的な本体１の下側に握り部２と、上側に革部４に連結する連結部３とを設け、本体内部に商品サンプルを包み込むシェルケース２０を挿入するようにしているので、商品サンプルを握り部２の上部で宙に浮いたように立体的に見せることができ、乗客の視覚に強く訴えることができる効果がある。
【００３１】
また、本広告具によれば、箱型の本体１の開閉に蓋１２を設けた構成としているので、商品サンプルの交換を容易にできる効果がある。
【００３２】
また、別の広告具（１）によれば、本体１´を半円柱状にし、その内部に商品サンプルを包み込むシェルケース２０を挿入するようにしているので、商品サンプルを握り部２の上部で宙に浮いたように立体的に見せることができ、乗客の視覚に強く訴えることができる効果がある。
【００３３】
また、別の広告具（２）によれば、本体１″を球状にし、その内部に商品サンプルを包み込むシェルケース２０を挿入するようにしているので、商品サンプルを握り部２´の上部で宙に浮いたように立体的に見せることができ、乗客の視覚に強く訴えることができる効果がある。
【産業上の利用可能性】
【００３４】
本考案は、商品サンプルを立体的にかつ宙に浮いたように表現でき、乗客の視覚に強く訴えることができる吊革用広告具に適している。
【符号の説明】
【００３５】
１，１´，１″...本体、  ２，２´...握り部、  ３，３´...連結部、  ３ａ...貫通孔、  ４...革部、  １０ａ，１０ｂ...ネジ止め部、  １１ａ，１１ｂ...ネジ止め部、  １２...蓋、  １３...接続部、  ２０...シェルケース、  ２１ａ，２１ｂ...箱型、  ２２ａ，２２ｂ...凹部、  ２３...収納部、  ３０...見本
【図１】
0003183190.tif 000003
【図２】
0003183190.tif 000004
【図３】
0003183190.tif 000005
【図４】
0003183190.tif 000006
【図５】
0003183190.tif 000007
【図６】
0003183190.tif 000008
【図７】
0003183190.tif 000009